(57)【要約】      （修正有）【課題】機械式計時器ムーブメントのためのひげ持ち保持器を提供する。【解決手段】切欠きを一緒に画定する一対のタブ、即ち前タブ３１及び後タブ３２を備える、機械式計時器ムーブメントのためのひげ持ち保持器２９に関し、タブ３１、３２は、ひげ持ち３５を切欠き内に保持することができるように構成し、ひげ持ち保持器２９の後タブ３２は、切欠きを越えて屈曲部を画定する延在部を備え、屈曲部は、ひげ持ち３５が切欠きから引き出された後にひげ持ち３５のための保持当接部を形成する。【選択図】図２
2019045482.tif 000002
【特許請求の範囲】
【請求項１】
切欠き（３３）を一緒に画定する一対のタブ、即ち前タブ（３１）及び後タブ（３２）を備える、機械式計時器ムーブメント（５）のためのひげ持ち保持器（２９）であって、前記タブ（３１、３２）は、ひげ持ち（３５）を前記切欠き（３３）内に保持することができるように構成する、ひげ持ち保持器（２９）において、
前記ひげ持ち保持器（２９）の前記後タブ（３２）は、前記切欠き（３３）を越えて屈曲部（５７）を画定する延在部（５６）を備え、前記屈曲部（５７）は、前記ひげ持ち（３５）が前記切欠き（３３）から引き出された後に前記ひげ持ち（３５）のための保持当接部を形成することを特徴とする、ひげ持ち保持器（２９）。
【請求項２】
前記後タブ（３２）は、前記前タブ（３１）と共に前期切欠き（３３）を画定する内側区分（５８）を備え、前記延在部（５６）は、前記内側区分（５８）と実質的に共線である径方向部分（５９）、及び前記径方向部分（５９）を直角に延在させる横断部分（６０）を備え、前記屈曲部（５７）は、前記径方向部分（５９）と前記横断部分（６０）との間の接合部に画定することを特徴とする、請求項１に記載のひげ持ち保持器（２９）。
【請求項３】
前記延在部（５６）の前記横断部分（６０）は、前記前タブ（３１）から離間し、前記前タブ（３１）と共に前記ひげ持ち（３５）のための横断通路（６１）を形成することを特徴とする、請求項２に記載のひげ持ち保持器（２９）。
【請求項４】
前記後タブ（３２）は、前記屈曲部（５７）のレベルで内側接続中空（６２）を有することを特徴とする、請求項２又は３に記載のひげ持ち保持器（２９）。
【請求項５】
請求項１から４のうちいずれか一項に記載のひげ持ち保持器（２９）及びひげ持ち（３５）を備える、機械式計時器ムーブメント（５）のための組立体（７）において、前記ひげ持ち（３５）は、円筒形本体（３６）を有し、前記ひげ持ち（３５）の前記円筒形本体（３６）が前記切欠き（３３）にスナップ嵌合し、前記ひげ持ち（３５）は、前記本体（３６）のいずれかの側に、
−前記ひげ持ち（３５）を前記ひげ持ち保持器（２９）に載置する拡幅頭部（３７）、
−前期ムーブメント（５）のばね（２１）の外側端部（２４）を中に収容することを目的とする二又部（３８）
を有することを特徴とする、組立体（７）。
【請求項６】
調整器（３９）を更に備え、前記調整器（３９）は、２つの個別の固着要素、即ち、
−前記調整器（３９）の角度位置の調節を可能にする一対の割出し指部（４３）を形成する上側調整器要素（４５）；
−尾部（４０）を形成する下側調整器要素（４６）
を備える、請求項５に記載の組立体（７）。
【請求項７】
前記上側要素（４５）は、中心リング（４７）を備え、前記一対の割出し指部（４３）は、前記中心リング（４７）からＶ字に延在することを特徴とする、請求項６に記載の組立体（７）。
【請求項８】
前記尾部（４０）は、一対の舌部（４９）を備え、前記一対の舌部（４９）は、キー（４１）の挿入を可能にするスリット（５０）を間に画定することを特徴とする、請求項６又は７に記載の組立体（７）。
【請求項９】
請求項５から８のいずれか一項に記載の組立体（７）を組み込む機械式計時器ムーブメント（５）。
【請求項１０】
請求項９に記載の機械式計時器ムーブメント（５）を備える時計（１）。
【発明の詳細な説明】
【技術分野】
【０００１】
本発明は、時計製造の分野に関し、より詳細には、動力エネルギーの調整をばね振動子によって供給する機械式時計製造の分野に関する。本発明は、より詳細には、機械式ムーブメントのためのひげ持ち保持器に関する。
【背景技術】
【０００２】
大部分の機械式時計において、針（例えば分及び時を表示する針）の回転に必要なエネルギーは、蓄積され、次に、てんぷ−ひげぜんまいシステムによって分配されるものであり、てんぷ−ひげぜんまいシステムは、てんぷと呼ばれる慣性はずみ車、及びてんぷに結合された、ひげぜんまいと呼ばれるらせん状に巻かれたテープの形態のばねを備える。
【０００３】
ひげぜんまいは、内側端部によって、てんぷに対し回転する状態で固着された軸上に固定され、外側端部によって、ひげ持ち保持器の上に配設したひげ持ちの上に固定され、ひげ持ち保持器自体は、固定の受け（又はコック）に固着されている。
【０００４】
従来、ひげぜんまいは、コバルト、ニッケル及びクロムをベースとする鉄鋼合金から作製されている。一般に、この合金には急冷及び焼鈍が施され、このことは、高い弾性限度、したがって、良好な破断強度を合金に与えるという利点を有する。鉄鋼の別の利点は、補修に適していることである。しかし、鉄鋼の欠点は、磁化可能な性質であり、この性質は、負荷下の挙動（したがって計時器ムーブメントの精度）に有害であり、更に、ひげ持ちを接着剤留めによって固定することは鉄鋼では困難である。
【０００５】
（それほど一般的ではないが）ひげぜんまいの作製にシリコンを使用することも公知の慣例である。Ｖｅｒｍｏｔ等（Ｔｒａｉｔｅ  ｄｅ  Ｃｏｎｓｔｒｕｃｔｉｏｎ  Ｈｏｒｌｏｇｅｒｅ、Ｐｒｅｓｓｅｓ  Ｔｅｃｈｎｉｑｕｅｓ  ｅｔ  Ｕｎｉｖｅｒｓｉｔａｉｒｅｓ  Ｒｏｍａｎｄｅｓ、２０１４年、７１２〜７１３頁）によれば、シリコンは、低い慣性モーメント、低い膨張係数、良好な耐食性を呈し、磁気がないという利点を有する。更に、紫外線によって活性化する２液型接着剤により、シリコンばねの外側端部にひげ持ちを固定することが可能であり、これにより、かなり強力な固定力をもたらす。しかし、シリコンによる主な欠点は、以下で説明する条件において破断しやすい性質である。
【０００６】
脱進機機構によって、てんぷの回転を維持し、その振動を計数する。脱進機機構は、低振幅の振動運動によって駆動されるパレット組立体を備え、パレット組立体は、脱進機車の歯を駆動する２つのパレットを備える。したがって、駆動時、脱進機車には段階的な回転運動が加わり、この回転運動の振動数は、パレット組立体の振動数によって決定され、パレット組立体自体は、てんぷ（即ちひげぜんまい）の振動数で固定されている。
【０００７】
従来の脱進機機構では、振動数は、約４Ｈｚ、又は毎時約２８８００オルタネーション（Ａｈ）である。優れた時計製造業者の１つの目的は、てんぷの等時性及び振動規則性（又は速度安定性）を保証することである。
【０００８】
ひげぜんまいの有効長さを調節することによって、てんぷの速度を設定することは公知の慣例であり、この有効長さは、ひげぜんまいの内側端部と計数点との間の曲線長さとして定義され、計数点は、ひげぜんまいの外側端部の近傍に位置し、一般に、一対の当接部によって画定され、一対の当接部は、調整器上に配設したキーによって支持される。
【０００９】
この調整器は、動作時、ひげぜんまいの軸に対し回転する状態で固定される。しかし、手動介入によって、例えばねじ回しにより、カムの方向で調整器に作用する偏心ねじを枢動させることによって調整器の角度位置を微細に設定することが可能である。
【００１０】
受け、調整器、キー、ひげ持ち保持器、ひげ持ち、軸、ばね及びてんぷを備える組立体は、一般に、「調節機構」と呼ばれる。調節機構の例は、国際出願ＷＯ２０１６／１９２９５７及び欧州特許ＥＰ２８７６５０４によって提案されており、共に計時器製造業者ＥＴＡ名義である。
【００１１】
調節機構に対するいくつかの介入は、ひげぜんまいをほどく（更には完全に分解する）必要があることがある。この場合、ひげぜんまいの外側端部に固着しているひげ持ちをひげ持ち保持器から分離する必要がある。
【００１２】
ペギング解除（ｄｅ−ｐｅｇｇｉｎｇ）と呼ばれるこの動作は困難である。時計製造業者は、一般に、ピンセットによりひげ持ちを保持し、次に、ひげ持ちを繊細に取り外している。
【００１３】
しかし、しばしば、ひげ持ちがピンセットから外れ、ひげぜんまいの急激な解放を引き起こし、これにより、ひげぜんまいの外側端部が解放されるということが生じる。
【００１４】
この事象は、ひげぜんまいが鉄鋼（より具体的には上記で示した鉄鋼合金）から作製されている場合、重要ではない。というのは、鉄鋼に施される急冷及び焼戻し処理により、ひげぜんまいが十分に延性になり、ひげぜんまいの巻戻りを可能にするためである。
【００１５】
一方で、シリコン製ひげぜんまいで同じ事象があると、統計的に、２件のうち１件を超えるケースで破断するため、劇的である。
【００１６】
本発明の目的は、破断の危険性を制限、更にはなくすことによって、ペギング解除を可能にするものである。
【先行技術文献】
【特許文献】
【００１７】
【特許文献１】ＷＯ２０１６／１９２９５７
【特許文献２】ＥＰ２８７６５０４
【非特許文献】
【００１８】
【非特許文献１】Ｖｅｒｍｏｔ等（Ｔｒａｉｔｅ  ｄｅ  Ｃｏｎｓｔｒｕｃｔｉｏｎ  Ｈｏｒｌｏｇｅｒｅ、Ｐｒｅｓｓｅｓ  Ｔｅｃｈｎｉｑｕｅｓ  ｅｔ  Ｕｎｉｖｅｒｓｉｔａｉｒｅｓ  Ｒｏｍａｎｄｅｓ、２０１４年、７１２〜７１３頁）
【発明の概要】
【課題を解決するための手段】
【００１９】
第１に、請求項１において規定するひげ持ち保持器を提案する。
【００２０】
この様式では、切欠きから引き出されたひげ持ちは、当接部で阻止され、これにより、ペギング解除の間にばね（ひげぜんまい）が急激に弛緩しないようにする。ばねが破断する危険性は、こうして制限される。
【００２１】
単独、又は全ての技術的に可能な組合せに従って取り得るひげ持ち保持器の有利な特徴は、従属請求項において規定する。
【００２２】
第２に、そのようなひげ持ち保持器を備える組立体を提案する。
【００２３】
単独、又は全ての技術的に可能な組合せに従って取り得る組立体の有利な特徴は、従属請求項において規定する。
【００２４】
第３に、そのような組立体を備える計時器ムーブメントを提案する。
【００２５】
第４に、そのような機械式計時器ムーブメントを備える時計を提案する。
【００２６】
本発明の他の目的及び利点は、添付の図面を参照しながら以下に示す一実施形態の説明に照らせば明らかになるであろう。
【図面の簡単な説明】
【００２７】
【図１】機械式計時器ムーブメントを備える時計を示す部分分解斜視図であり、機械式計時器ムーブメントは調節機構を含む。
【図２】調節機構を単独で示す上面斜視図である。
【図３】調節機構を示す下面斜視図である。
【図４】調節機構の上面分解斜視図である。
【図５】調節機構の下面分解斜視図である。
【図６】ひげ持ち保持器の斜視図であり、上記の図面の調節機構は、ひげ持ち保持器を備える。
【図７】ひげ持ち保持器を示す部分斜視図であり、ひげ持ち（点線）は、ひげ持ち保持器、及びばね（同様に点線）の外側素線の一部の上に配設されている。
【図８】図７と同様の斜視図であり、ひげ持ちを有するひげ持ち保持器が、切欠きから引き出され、屈曲部に当接状態にあることを示す。
【図９】ひげ持ち保持器単体の下面図である。
【図１０】ひげ持ち保持器の下面図であり、点線では、ひげ持ちは、切欠きにスナップ嵌合しており、実線では、ひげ持ちは、切欠きから引き出され、屈曲部に当接状態にある。
【発明を実施するための形態】
【００２８】
図１は時計１を示す。
【００２９】
この時計１は、特に金属（例えば鉄鋼）又は合成材料（例えば繊維、典型的にはカーボンを充填したポリマー・マトリックスを含む複合材料）から作製した中板２を備える。
【００３０】
時計１は、手首に装着するためのブレスレット３も備え、ブレスレット３は、中板２の上に、中板２から突出形成するラグ（ｈｏｒｎ）４の間に固定する。
【００３１】
時計１は、時計の両側で中板２の上に固定するガラス及び裏蓋（図示せず）も備える。
【００３２】
最後に、時計１は、地板６を備える計時器ムーブメント５（以下、単に「ムーブメント」と呼ぶ）を備え、地板６は、例えばねじにより中板２に固定することにより、中板２内に収容することが意図される。地板６は、輪列、調節機構、脱進機、伝え車、日の裏機構、巻上げ機構等の様々な機構（列挙は網羅的なものではない）に対する支持部を形成する。
【００３３】
この計時器ムーブメント５は、機械式であり、その動力エネルギー源は、香箱のばねによって供給され、ばね振動子によって調整される。この振動子を保護するために、ムーブメント５は、地板６上に配設した調節機構７を組み込む。
【００３４】
調節機構７は、まず、受け８を備える。この受け８は、「コック」とも呼ばれ、地板６の上に固定される剛性部品（金属であってもよい）の形態を取る。受け８は、調節機構７の他の構成要素のための支持部及び案内部の両方を形成する。
【００３５】
図面、特に図１及び図３に示す一実施形態によれば、受け８は基部９を備える。受け８がねじ１０により地板６の上に固定されるのは、この基部９によるものであり、ねじ１０は、基部９内に形成した穴１１を通り、地板６に穿孔したねじ穴１２とらせん係合する。
【００３６】
受け８を地板６に対して正確に配置することは、足部１３により保証され、足部１３は、基部９の内面から突出し、地板６内に形成した相補形ボア１４に嵌合する。
【００３７】
調節機構７の他の構成要素を固定し、案内するために、受け８は、基部９との一体部品から形成されるエプロン１５を備える。受け８は、エプロン１５内に、その張出し端部に形成したボア１６を備える。
【００３８】
調節機構７は、第２に、主軸１７を備え、主軸１７は、受け８に対して回転するように配設した段付き一体部品の形態を取る。より具体的には、主軸１７は、地板６と受け８との間で回転するように配設する。
【００３９】
（特に図４及び図５に示す）特定の実施形態によれば、軸１７の受け８に対する回転を保証するために、調節機構７は、緩衝器１８を備え、緩衝器１８は、ボア１６内で駆動され、内面に、主軸１７の第１の端部を案内する穴１９を備える。
【００４０】
図１からもわかるように、地板６は、主軸１７の第２の端部を案内する穴２０を備える。
【００４１】
主軸１７の回転摩擦を制限するために、主軸１７の端部は、有利には、ルビー又はダイアモンド等の硬い鉱物と協働する。
【００４２】
調節機構７は、第３に、主軸１７の周りにらせん状に巻いたばね２１を備える。より具体的には、以下「ひげぜんまい」と呼ぶばね２１は、軸１７に固着した内側端部２２、及び外側端部２４で終端する外側巻き部２３を有する。
【００４３】
有利な実施形態によれば、ひげぜんまい２１は、シリコンで作製され、可能性としては、酸化物層で覆われている。
【００４４】
ひげぜんまい２１を緊張状態にすると、軸１７に加えられる戻しトルクをもたらす。
【００４５】
ひげぜんまい２１が供給するこのトルク及びその振動振幅を増大させるために、調節機構７は、第４に、軸１７に回転する状態で固着したてんぷ２５の形態の慣性はずみ車を備える。
【００４６】
例えば真鍮で作製したこのてんぷ２５は、てんぷ２５を軸１７上で駆動するハブ２６、外縁部２７、及びハブ２６を外縁部２７に連結するスポーク２８（ここでは３つであるが、この数は例示にすぎない）を備える。
【００４７】
調節機構７は、第５に、ひげ持ち保持器２９を備え、ひげ持ち保持器２９は、ひげ持ち保持器２９を受け８に固着するリング３０、及び一対のタブ、即ち前タブ３１及び後タブ３２（前及び後とは、ひげぜんまい２１の内側端部２２から外側端２４への巻上げ方向で定義する）を備え、一対のタブは、リング３０から径方向に突出し、一緒に切欠き３３を画定する。
【００４８】
ひげ持ち保持器２９は、有利には、金属材料、例えば鉄鋼で作製する。
【００４９】
図４に示す一実施形態によれば、ひげ持ち保持器２９のリング３０は、エプロン１５からボア１６に同軸に突出する香箱３４上で駆動される。
【００５０】
調節機構７は、第６に、ひげぜんまい２１の外側端部２４に固着したひげ持ち３５を備える。このひげ持ち３５は、例えば鉄鋼製である。一実施形態によれば、ひげ持ち３５は、接着剤留めによって、光重合可能な接着剤によりひげぜんまい２１の外側端部２４に固定され、光重合可能な接着剤とは、その接着特性が紫外部光子放射線への露出により活性化するものである。
【００５１】
図面、より具体的には図４、図５、図７及び図８に示すように、ひげ持ち３５は、円筒形本体３６を有し、ひげ持ち３５の円筒形本体３６が切欠き３３にスナップ嵌合し、ひげ持ち３５は、本体３６のいずれかの側に、
−ひげ持ち３５をひげ持ち保持器２９に載置させる拡幅頭部３７、
−（接着剤留めによって）ひげぜんまい２１の外側端部２４を収容する二又部３８
を備える。
【００５２】
したがって、ひげ持ち３５は、ひげ持ち保持器２９の上に固定することにより、ひげぜんまい２１の外側端部２４の固着（即ち、受け８に対する固定）を保証する。
【００５３】
ひげぜんまい２１の振動は、ひげぜんまい２１に運動エネルギーを伝える脱進機パレット組立体（図示せず）によって維持（及び計数）し、脱進機パレット組立体は、ひげぜんまい２１をその平衡位置を越えて駆動することにより、ひげぜんまい２１を緊張状態にする。
【００５４】
ひげぜんまい２１が非緊張状態になる際、即ち、その平衡位置に戻る状態に向かう際、ひげぜんまい２１は、内側端部２２が固着されている主軸１７を、それ自体軸１７に固着されているてんぷ２５と共に回転駆動する。完全弛緩に達すると、ひげぜんまい２１は、（軸１７及びてんぷ２５により）固定され、次に、その弾性作用下、再度圧縮され、次に、軸１７及びてんぷ２５を逆回転で駆動させる状態に向かう。
【００５５】
ひげぜんまい２１−てんぷ２５システムの振動は、一対のパレットを備える脱進機パレット組立体の交互切換え動作を調整する役割を果たし、一対のパレットは、脱進機車を交互に駆動し、脱進機車の段階的な回転は、パレット組立体（即ち、ばね）の振動が決定する振動数で、時（及び／又は分）を表示する１つ（又は複数）の針を備える日の裏機構に伝達される。
【００５６】
ひげぜんまい２１−てんぷ２５システムの振動数は、調節機構７への手動介入により微調整することができ、調節機構７は、第７に、この目的で、調整器３９を備える。
【００５７】
調整器３９は受け８に固定され、受け８に対して主軸１７周りに角度を付けて進行することができる。
【００５８】
より具体的には、調整器３９は、
−ひげぜんまい２１の外側巻き部２３の両側に配置した一対の当接部４２を画定するキー４１を支持する尾部４０、及び
−偏心ねじ４４と協働する少なくとも１つの割出し指部４３
を備え、偏心ねじ４４は、偏心ねじ４４の回転によって調整器３９の角度位置を調節するために、受け８に配設する。
【００５９】
特に図４及び図５に示す好ましい実施形態によれば、調整器３９は、２つの個別の固着要素、即ち、
−割出し指部４３を支持する上側調整器要素４５；
−尾部４０を支持する下側調整器要素４６
を備える。
【００６０】
図示の例では、上側要素４５は、中心リング４７、及びこの中心リング４７からＶ字に径方向に延在する一対の割出し指部４３を備える。
【００６１】
この同じ例では、下側要素４６は、リング４８を備え、尾部４０は、一対の舌部４９を備え、一対の舌部４９は、リング４８から径方向に突出し、キー４１を挿入するスリット５０を間に画定する。
【００６２】
上側要素４５の中心リング４７は、下側要素のリング４８に入れた状態にする突出ブッシュ５１を備え、これにより、上側要素４５と下側要素４６とを固着する。
【００６３】
更に、上側要素４５の中心リング４７は、面取り部５２を備え、面取り部５２は、緩衝器１８上に形成した先細区域５３を補完し、これにより、調整器３９の軸１７周りの回転案内を保証する。
【００６４】
当接部４２は共に、ひげぜんまい２１のための計数点を形成し、計数点は、内側端部２２と共に、ひげぜんまい２１の振動数が依存する有効な（曲線）長さを画定する。偏心ねじ４４の（手動）回転は、調整器３９の角度位置、したがって計数点の位置を変化させ、これにより、ひげぜんまい２１の有効長さ（したがって振動数）を増大させる（又は一方でこれらを低減させる）。
【００６５】
図２及び図４に示す一実施形態によれば、指部（複数可）は、受け８のエプロン１５内に形成した、中をくり抜いた格納部５４内に収容される。エプロン１５内にエッチングした調整部５５、並びに「−」及び「＋」の記号は、時計製造業者に回転の規模及び方向に関する指標を与え、（接眼鏡又は顕微鏡を用いるか、又は更にはＣＥＮＴＡＧＯＲＡ社が販売しているＲＥＧＯモデル等の特定の装置により）（この目的で切込みを入れた）偏心ねじ４４の位置−したがって調整器３９の位置の微調節を可能にするのに有用である。
【００６６】
調節機構７に対する手動介入の間、ペギング解除、即ち、ひげ持ち３５をひげ持ち保持器２９から取り外すことが必要であることがある。ひげ持ち保持器２９から解放されたひげ持ち３５が、ひげぜんまい２１の急激な弛緩作用下、遠くに飛ばないようにするために、ひげ持ち保持器２９は、切欠き３３から引き出されたひげ持ち３５のための保持当接部を備える。
【００６７】
より具体的には、ひげ持ち保持器２９の後タブ３２は、延在部５６を備え、延在部５６は、切欠き３３を越えて、この当接部を形成する屈曲部５７を画定する。
【００６８】
したがって、後タブ３２は、
−前タブ３１と共に切欠き３３を画定する下側区分５８、
−下側区分５８と一続きで径方向に延在する延在部５６
を一体部品内に備える。
【００６９】
図面、より具体的には図６及び図９に示す一実施形態によれば、延在部５６は、（内側区分５８と実質的に共線である）径方向部分５９、及び径方向部分５９を鉤括弧のように延在させる横断部分６０を備える。
【００７０】
屈曲部５７は、径方向部分５９と横断部分６０との間の接合部に画定される。
【００７１】
図９から明らかにわかるように、延在部５６の横断部分６０は、有利には、前タブ３１から離間し、前タブ３１と共に、かなり幅広い通路６１を形成し、ひげ持ち３５を横に導入すること（又は強制的な取外し）を可能にする。
【００７２】
後タブ３２は、優先的に、屈曲部５７のレベルで内側接続中空６２を有する。
【００７３】
切欠き３３にスナップ嵌合したひげ持ち３５を図７及び図１０に点線で示す。この位置では、ひげ持ち３５の本体３６は、切欠き３３の小面と協働し、したがって、ひげぜんまい２１（したがってムーブメント５）の標準動作の目的で本体３６を保持することを保証する。
【００７４】
ひげ持ち３５は、図７及び図１０の矢印によって示す方向で、外側径方向の（即ち、ひげ持ち３５をリング３０から分離させる状態にする）動きにより、切欠き３３から手動で引き出される（即ち、スナップ嵌合を外す）。ここで、ひげ持ち３５がひげ持ち保持器の切欠き３３の中にあるとき、ひげぜんまい２１は平衡位置に達している。したがって、手動介入の間、ひげ持ちは、リング３０の方に戻ろうとするが、屈曲部５７（より具体的には中空６２）で阻止された状態になり、このようにして、図８及び図１０の実線で示すように保持される。
【００７５】
屈曲部５７（したがって屈曲部５７が形成する当接部）は、ひげ持ち３５を切欠き３１から取り外す際に脱落させる危険性を伴わずに、ひげ持ち３５のスナップ嵌合を外すことを可能にするものである。
【００７６】
この場合、ひげ持ち３５の押さえを修正し、ひげ持ち７のより安定した保持を保証し、次に、ひげ持ち３５をひげ持ち保持器２９から完全に解放し、例えば、ひげぜんまい２１を分解することが可能である。
【００７７】
この場合、ひげ持ち３５は、屈曲部５７が形成する当接部によって保持されるので、器具を変更し、（例えばピンセットにより）ひげ持ち３５のより快適な（より安定した）把持を保証し、例えば、図１０の矢印に示す垂直の動きによってひげぜんまい２１を完全に分解することが可能である。言い換えれば、ペギング解除は２つの段階で実施される。
【００７８】
この結果により、調節機構７の信頼性の利益のために、ペギング解除の際にひげぜんまい２１を破損する危険性が低減する、更には解消される。
【符号の説明】
【００７９】
１  時計
５  ムーブメント
７  組立体
２１  ばね
２４  外側端部
２９  ひげ持ち保持器
３１  前タブ
３２  後タブ
３３  切欠き
３５  ひげ持ち
３６  円筒形本体
３７  拡幅頭部
３８  二又部
３９  調整器
４０  尾部
４１  キー
４３  割出し指部
４５  上側調整器要素
４６  下側調整器要素
４７  中心リング
４９  舌部
５０  スリット
５６  延在部
５７  屈曲部
５８  内側区分
５９  径方向部分
６０  横断部分
６１  横断通路
６２  内側接続中空
【図１】
2019045482.tif 000003
【図２】
2019045482.tif 000004
【図３】
2019045482.tif 000005
【図４】
2019045482.tif 000006
【図５】
2019045482.tif 000007
【図６】
2019045482.tif 000008
【図７】
2019045482.tif 000009
【図８】
2019045482.tif 000010
【図９】
2019045482.tif 000011
【図１０】
2019045482.tif 000012